(57)【要約】【課題】観察方向を基材表面に対して鋭角をなす方向に変化させていった場合に、３階調の色の違いによって潜像を浮かび上がらせる。【解決手段】背景色領域１１と、背景色領域１１上にて背景色領域１１とは異なる色を有してマトリックス状に配置された複数のマーク部１２とが基材表面に設けられ、背景色領域１１の色が頂部にて表出する複数のエンボス１３が、複数のマーク部１２の配列方向と並行して行及び／または列を構成して形成された第１の領域１４と、頂部にマーク部１２を含む複数のエンボス１３が、複数のマーク部１２の配列方向と並行して行及び／または列を構成して形成された第２の領域１５と、複数のマーク部１２が配置された背景色領域１１上に、第１の領域１４及び第２の領域１５における複数のエンボス１３の隣接ピッチ以上の幅を具備して配置され、エンボス１３が形成されていない第３の領域とを有する。【選択図】図１
2010115800.tif 000002
【特許請求の範囲】
【請求項１】
背景色領域と、前記背景色領域上にて該背景色領域とは異なる色を有してマトリックス状に配置された複数のマーク部とが基材表面に設けられてなる偽造防止媒体であって、
前記背景色領域の色が頂部にて表出する複数のエンボスが、前記複数のマーク部の配列方向と並行して行及び／または列を構成して形成された第１の領域と、
頂部に前記マーク部を含む複数のエンボスが、前記複数のマーク部の配列方向と並行して行及び／または列を構成して形成された第２の領域と、
前記複数のマーク部が配置された前記背景色領域上に、前記第１及び第２の領域における前記複数のエンボスの隣接ピッチ以上の幅を具備して配置され、前記エンボスが形成されていない第３の領域とを有する偽造防止媒体。
【請求項２】
請求項１に記載の偽造防止媒体において、
前記第３の領域は、前記第１の領域と前記第２の領域との境界部分に配置されている偽造防止媒体。
【請求項３】
請求項１または請求項２に記載の偽造防止媒体において、
前記第３の領域は、前記マーク部と該マーク部に隣接する背景色領域のいずれにも前記エンボスが形成されていない偽造防止媒体。
【発明の詳細な説明】
【技術分野】
【０００１】
本発明は、偽造防止シート等の偽造防止媒体に関し、特に、潜像を用いた偽造防止構造に関する。
【背景技術】
【０００２】
従来より、プリペイドカードや各種入場券、商品券や株券等の有価証券においては、広く流通しており比較的容易に換金可能である等の理由から、偽造犯罪が頻発している。特に、近年ではカラーコピー機等の複写機の性能向上と普及に伴い、簡単には真正品と見分けられない偽造品が比較的容易に製造可能になってきており、偽造に対する対策が求められている。また、上述したような有価証券に限らず、紙幣においても偽造に対する対策が求められている。
【０００３】
このような偽造に対する対策の１つとして、潜像を用いて有価証券や紙幣の真偽判別を可能とする技術が考えられており、例えば、特許文献１に開示されている。
【０００４】
特許文献１に開示された技術は、シート基材上に、複数本の印刷万線と、この印刷万線と並列し、一部が印刷万線と直交する方向に延在し、かつ、断面が隆起したレリーフ万線とを設け、観察方向によって潜像を浮かび上がらせるものである。基材を正面から見た場合は全ての印刷万線が視認可能な状態となっている。ところが、観察方向を印刷万線及びレリーフ万線と直交する方向に変化させていくと、印刷万線のうちレリーフ万線が延在した部分がその延在したレリーフ万線の陰となって視認できなくなる一方、印刷万線のその他の部分は視認可能な状態のままとなる。これにより、レリーフ万線の形状に応じた潜像を浮かび上がらせることができる。
【０００５】
このように断面が隆起したレリーフ万線を設けたシート基材においては、複写した場合、表面に印刷された印刷万線を含む印刷情報は複写されるものの、レリーフ万線の隆起形状までは再現できない。そのため、複写物の観察方向を変化させていった場合であっても、潜像は浮かび上がらず、それにより、真偽判別を行うことが可能となる。
【０００６】
ところが、上述したように、シート基材上に、複数本の印刷万線と、この印刷万線と並列し、一部が印刷万線と直交する方向に延在し、かつ、断面が隆起したレリーフ万線とを設け、この印刷万線とレリーフ万線とで潜像を浮かび上がらせるものにおいては、印刷万線及びレリーフ万線と直交する方向から観察した場合にしか潜像が浮かび上がらず、潜像による真偽判別がしやすいとは言い難い。特に、観察方向が制限されている場合、潜像による真偽判別ができなくなる虞れがある。
【０００７】
そこで、本出願人は、基材表面に設けられた背景色領域とは異なる色を有する複数のマーク部をマトリックス状に配置するとともに、この複数のマーク部の配列方向と並行して行や列を構成する複数のエンボスからなるエンボス群を、背景色領域の色が頂部にて表出するように形成された第１のエンボス群と、頂部がマーク部を含むように形成された第２のエンボス群とから構成し、それにより、観察方向を基材表面に対して鋭角をなす方向に変化させていった場合に、第１のエンボス群が配置された領域と第２のエンボス群が配置された領域とが異なる色に見え、その色の違いによって、観察方向に制限されることなく潜像による真偽判別を容易に行うことができる偽造防止媒体を考え出し、特許文献２に開示している。
【特許文献１】特開２０００−３１３１６１号公報
【特許文献２】特開２００８−３０２２２号公報
【発明の開示】
【発明が解決しようとする課題】
【０００８】
本出願人は、上述したように潜像を用いて真偽判別を行う偽造防止媒体について鋭意研究を重ねた結果、上述したような第１のエンボス群が配置された領域と第２のエンボス群が配置された領域との色の違い、すなわち、２階調の色の違いによって潜像を浮かび上がらせるだけではなく、観察方向を基材表面に対して鋭角をなす方向に変化させていった場合に、３階調の色を生じさせ、それにより、文字のみならず画像を潜像として浮かび上がらせる構成を考え出した。
【０００９】
本発明は、観察方向に制限されることなく潜像による真偽判別を容易に行うことができる偽造防止媒体において、観察方向を基材表面に対して鋭角をなす方向に変化させていった場合に、３階調の色の違いによって潜像を浮かび上がらせることができる偽造防止媒体を提供することを目的とする。
【課題を解決するための手段】
【００１０】
上記目的を達成するために本発明は、
背景色領域と、前記背景色領域上にて該背景色領域とは異なる色を有してマトリックス状に配置された複数のマーク部とが基材表面に設けられてなる偽造防止媒体であって、
前記背景色領域の色が頂部にて表出する複数のエンボスが、前記複数のマーク部の配列方向と並行して行及び／または列を構成して形成された第１の領域と、
頂部に前記マーク部を含む複数のエンボスが、前記複数のマーク部の配列方向と並行して行及び／または列を構成して形成された第２の領域と、
前記複数のマーク部が配置された前記背景色領域上に、前記第１及び第２の領域における前記複数のエンボスの隣接ピッチ以上の幅を具備して配置され、前記エンボスが形成されていない第３の領域とを有する。
【００１１】
上記のように構成された本発明においては、基材を正面から観察した場合、基材表面の背景色領域に背景色領域とは異なる色でマトリックス状に設けられた複数のマーク部が認識される。基材には、第１の領域において背景色領域の色が頂部にて表出する複数のエンボスと、第２の領域において頂部にマーク部を含む複数のエンボスとが形成されているが、基材を正面から観察した場合は、エンボスは認識されずに複数のマーク部がマトリックス状となって認識されるだけである。この状態から観察方向を基材表面に対して鋭角をなす方向に変化させていくと、エンボスが形成された第１及び第２の領域においては、基材表面に形成された複数のエンボスの頂部以外の部分が、そのエンボスの観察方向側に隣接するエンボスによって隠れて見えなくなっていき、頂部のみが見えるような状態となる。その際、複数のエンボスのうち、第１の領域に形成されたエンボスにおいては背景色領域の色が頂部にて表出しており、また、第２の領域に形成されたエンボスにおいては背景色領域とは異なる色のマーク部が頂部にて表出しているため、第１の領域が背景色領域の色に見え、第２の領域がマーク部の色に見えるようになる。さらに、複数のマーク部が配置された背景色領域上には、エンボスが形成されていない第３の領域が設けられており、この第３の領域においては、第１及び第２の領域における複数のエンボスの隣接ピッチ以上の幅を具備しているため、観察方向を基材表面に対して鋭角をなす方向に変化させていっても、背景色領域とマーク部とがエンボスによって隠れて見えなくなることがなく、背景色領域の色とマーク部の色とが混ざり合って見えることになる。それにより、第１の領域による色と第２の領域による色と第３の領域による色との３階調の色の違いによって潜像が浮かび上がってくる。
【００１２】
また、第３の領域が、第１の領域と第２の領域との境界部分に配置されていれば、第１の領域と第２の領域との境界に、第１の領域にて見える色と第２の領域にて見える色とが混ざり合った色が見えることになり、第１の領域から第２の領域に渡って見える色が徐々に変化し、それにより、特に潜像を画像とした場合に、その輪郭になめらかさを出すことができる。
【００１３】
また、第３の領域にてマーク部とそのマーク部に隣接する背景色領域のいずれにもエンボスが形成されていなければ、偽造防止媒体に対する観察方向を正面から変化させていった場合に、第３の領域において背景色領域とマーク部とがエンボスの影響を全く受けることがない。
【発明の効果】
【００１４】
以上説明したように本発明においては、背景色領域と、背景色領域上にて背景色領域とは異なる色を有してマトリックス状に配置された複数のマーク部とが基材表面に設けられ、さらに、背景色領域の色が頂部にて表出する複数のエンボスが、複数のマーク部の配列方向と並行して行及び／または列を構成して形成された第１の領域と、頂部にマーク部を含む複数のエンボスが、複数のマーク部の配列方向と並行して行及び／または列を構成して形成された第２の領域と、複数のマーク部が配置された背景色領域上に、第１及び第２の領域における複数のエンボスの隣接ピッチ以上の幅を具備して配置され、エンボスが形成されていない第３の領域とを有する構成としたため、観察方向を基材表面に対して鋭角をなす方向に変化させていくと、第１の領域による色と第２の領域による色と第３の領域による色との３階調の色の違いによって潜像を浮かび上がらせることができる。
【００１５】
また、第３の領域が、第１の領域と第２の領域との境界部分に配置されているものにおいては、第１の領域と第２の領域との境界に、第１の領域にて見える色と第２の領域にて見える色とが混ざり合った色が見えることになり、第１の領域から第２の領域に渡って見える色が徐々に変化し、それにより、特に潜像を画像とした場合に、その輪郭になめらかさを出すことができる。
【００１６】
また、第３の領域にてマーク部とそのマーク部に隣接する背景色領域のいずれにもエンボスが形成されていないものにおいては、偽造防止媒体に対する観察方向を正面から変化させていった場合に、第３の領域において背景色領域とマーク部とがエンボスの影響を全く受けることがない。
【発明を実施するための最良の形態】
【００１７】
以下に、本発明の実施の形態について図面を参照して説明する。
【００１８】
図１は、本発明の偽造防止媒体の実施の一形態となる偽造防止シートを示す図であり、（ａ）は全体の構成を示す図、（ｂ）は（ａ）に示した偽造防止構造１０の詳細な構成を示す図、（ｃ）は（ｂ）に示した偽造防止構造１０を背景色領域１１とマーク部１２とエンボス１３との関係によって３つの領域に分割した状態を示す図、（ｄ）は（ｂ）に示した偽造防止構造１０における背景色領域１１とマーク部１２との関係を示す図、（ｅ）は（ｂ）に示した偽造防止構造１０におけるエンボス１３の形成領域を示す図、（ｆ）は（ｃ）に示した第１の領域１４に形成されたエンボス１３の構成を示す図、（ｇ）は（ｃ）に示した第２の領域１５に形成されたエンボス１３の構成を示す図である。
【００１９】
本形態の偽造防止シート１は図１（ａ）に示すように、紙からなるシート基材２の一部の領域に偽造防止構造１０が設けられて構成されている。シート基材２は、基材表面となる平面部３を有し、この平面部３の一部の領域に情報印刷領域４が設けられるとともに、他の領域に偽造防止構造１０が設けられている。このように構成された偽造防止シート１は、例えば、コンサート等の入場チケットとして用いることが考えられる。その場合、コンサートの内容や会場名、座席番号等が情報印刷領域４に印刷されることになる。また、シート基材２の情報印刷領域４に情報が印刷される前に、シート基材２に対してプレ印刷として地紋を印刷したり所定の色に着色したりすることも考えられるが、その場合、偽造防止構造１０による潜像が見にくくならないようにする必要がある。
【００２０】
図１（ｂ），（ｄ）に示すように、シート基材２に設けられた偽造防止構造１０には、シート基材２の平面部３のベース色とは異なる黒色からなる背景色領域１１上に、背景色領域１１とは異なる白色からなる複数のマーク部１２がマトリックス状に配置されている。そして、複数のマーク部１２がマトリックス状に配置された領域には、複数のエンボス１３が形成されている。
【００２１】
また、偽造防止構造１０は、図１（ｃ）に示すように、この偽造防止構造１０によって浮かび上がらせる潜像に応じた形状を有する第１の領域１４と第２の領域１５と第３の領域１６とを有している。そして、これら第１の領域１４、第２の領域１５及び第３の領域１６は、図１（ｂ），（ｃ），（ｅ）に示すように、背景色領域１１とマーク部１２とエンボス１３との関係が互いに異なるものであり、第１の領域１４及び第２の領域１５にはエンボス１３が形成され、第３の領域１６にはエンボス１３が形成されていない。第１の領域１４及び第２の領域１５に形成されたエンボス１３は、図１（ｆ），（ｇ）に示すように、シート基材２をエンボス版等で平面部３側から０．０２〜０．１ｍｍ程度窪ませることにより形成されるドーム状の形状であって、その頂部１３ａからシート基材２の窪み方向に向かうに従ってその断面積が徐々に広くなり、エンボス１３の底部においては、直径が０．５ｍｍ以下の円形状となっている。
【００２２】
第１の領域１４に形成されたエンボス１３は図１（ｂ）に示すように、マトリックス状に配置された複数のマーク部１２間に形成されており、それにより、図１（ｆ）示すように、４つのマーク部１２に囲まれた部分の背景色領域１１の黒色が頂部１３ａにて表出している。そして、第１の領域１４においては、エンボス１３間にマーク部１２が配置された状態となっている。また、第２の領域１５に形成されたエンボス１３は図１（ｂ）に示すように、マトリックス状に配置された複数のマーク部１２に重なるように形成されており、それにより、図１（ｇ）に示すように、頂部１３ａにマーク部１２を含むようなものとなっている。そして、第２の領域１５においては、背景色領域１１はエンボス１３間に配置された状態となっている。このように、第１の領域１４及び第２の領域１５に形成されたエンボス１３は、第１の領域１４及び第２の領域１５において複数のマーク部１２の配列方向と並行して行や列を構成して形成されている。
【００２３】
また、図１（ｂ），（ｃ），（ｅ）に示すように、第３の領域１６は、第１の領域１４と第２の領域１５との境界部分と、第１の領域１４に囲まれる部分と、第２の領域１５に囲まれる部分とのそれぞれにおいて、第１の領域１４及び第２の領域におけるエンボス１３の隣接ピッチｔ以上の幅ｗを有して配置されており、エンボス１３が形成されていない。さらに、第１の領域１４と第２の領域１５との境界部分と、第２の領域１５に囲まれる部分においては、マーク部１２とそのマーク部１２に隣接する背景色領域１１のいずれにもエンボス１３が形成されていない。なお、第３の領域１６の幅ｗとは、複数のエンボス１３どうしの間隔を示す。具体的には、第１の領域１４と第２の領域１５との境界部分においては、第１の領域１４に形成されたエンボス１３と第２の領域１５に形成されたエンボス１３との間隔であり、第１の領域１４に囲まれる部分においては、第１の領域１４に形成されたエンボス１３どうしの間隔であり、第２の領域１５に囲まれる部分においては、第２の領域１５に形成されたエンボス１３どうしの間隔である。すなわち、第３の領域１６の幅とは、帯状となった領域における幅に限らず、一定の面積を有する帯状でないものにおいても、そのエンボス１３間の間隔を幅と称する。
【００２４】
以下に、上記のように構成された偽造防止シート１の製造方法について説明する。
【００２５】
まず、シート基材２の偽造防止構造１０が設けられる領域に、白色のマーク部１２がマトリックス状に残るように背景色領域１１を黒色で印刷する。なお、この背景色領域１１の印刷は、上述したようなプレ印刷と同時に行ってもよいし、上述したプレ印刷を行った後に行ってもよい。
【００２６】
次に、背景色領域１１が印刷された領域のうち、第１の領域１４及び第２の領域１５に、エンボス版を用いてエンボス１３を形成する。このエンボス１３は、第１の領域１４においては複数のマーク部１２間に形成し、また、第２の領域１５においてはマーク部１２に重なるように形成する。
【００２７】
上述したようにして偽造防止シート１が製造され、その後、用途に応じた情報がシート基材２の情報印刷領域４に印刷されて使用されることになる。
【００２８】
以下に、上述した偽造防止シート１の作用について説明する。
【００２９】
まず、図１に示した偽造防止シート１を正面、すなわち、シート基材２の平面部３の法線方向から観察した場合の作用について説明する。
【００３０】
図２は、図１に示した偽造防止シート１を正面から観察した場合の作用を説明するための図であり、（ａ）は第１の領域１４について断面方向から見た図、（ｂ）は第２の領域１５について断面方向から見た図、（ｃ）は偽造防止構造１０における背景色領域１１とマーク部１２の見え方を示す図である。
【００３１】
図１に示した偽造防止シート１を、図２（ａ），（ｂ）に示すように、正面、すなわち平面部３の法線方向から観察した場合、エンボス１３の高さ方向から観察することになるため、シート基材２に形成されたエンボス１３は認識されず、図２（ｃ）に示すように、黒色の背景色領域１１上にマトリックス状に配置された白色のマーク部１２が認識されるだけである。そのため、偽造防止シート１を平面部３の法線方向から観察した場合は、第１の領域１４と第２の領域１５と第３の領域１６とによる潜像は浮かび上がってこない。
【００３２】
次に、図１に示した偽造防止シート１に対する観察方向を正面、すなわち、シート基材２の平面部３の法線方向から変化させていった場合の作用について説明する。
【００３３】
図３は、図１に示した偽造防止シート１に対する観察方向を正面から変化させていった場合の作用を説明するための図であり、（ａ）は第１の領域１４について側面方向から見た図、（ｂ）は第２の領域１５について側面方向から見た図、（ｃ）は第３の領域１６について側面方向から見た図、（ｄ）は偽造防止構造１０全体の見え方を示す図である。
【００３４】
図１に示した偽造防止シート１に対する観察方向を正面から変化させていくと、シート基材２の平面部３に対する観察方向のなす角度が鋭角になっていく。すると、図３（ａ），（ｂ）に示すように、第１の領域１４と第２の領域１５においては、エンボス１３の頂部１３ａ以外の領域とエンボス１３間の領域とが、そのエンボス１３の観察方向側に隣接するエンボス１３によって隠れて見えなくなっていき、エンボス１３の頂部１３ａのみが見えるような状態となる。
【００３５】
ここで、複数のエンボス１３のうち、第１の領域１４に形成されたエンボス１３においては、図１（ｆ）に示したように、背景色領域１１の黒色が頂部１３ａにて表出しており、また、第２の領域１５に形成されたエンボス１３においては、図１（ｇ）に示したように、背景色領域１１とは異なる白色のマーク部１２が頂部１３ａにて表出している。
【００３６】
そのため、偽造防止シート１に対する観察方向を、例えば図１中下側に変化させていき、複数のエンボス１３の頂部１３ａ以外の領域とエンボス１３間の領域とがそのエンボス１３の観察方向側に隣接するエンボス１３によって隠れて見えなくなっていき、エンボスの頂部１３ａのみが見えるような状態となると、第１の領域１４においては背景色領域１１による黒色に見え、第２の領域１５においてはマーク部１２による白色に見えるようになる。
【００３７】
また、第３の領域１６においては、第１の領域１４や第２の領域１５におけるエンボス１３の隣接ピッチｔ以上の幅ｗだけエンボス１３が形成されていないため、図３（ｃ）に示すように、偽造防止シート１に対する観察方向を正面から変化させていっても、第３の領域１６に配置された背景色領域１１とマーク部１２は、第３の領域１６の観察方向側に隣接するエンボス１３によって隠れることがなく、それにより、背景色領域１１の色とマーク部１２の色とが混ざり合って見えることになる。さらに、第３の領域１６のうち、第１の領域１４と第２の領域１５との境界部分と、第２の領域１５に囲まれる部分においては、マーク部１２とそのマーク部１２に隣接する背景色領域１１のいずれにもエンボス１３が形成されていないため、偽造防止シート１に対する観察方向を正面から変化させていった場合に、背景色領域１１とマーク部１２とがエンボス１３の影響を全く受けることがない。
【００３８】
このように、偽造防止シート１に対する観察方向を正面から変化させていった場合、第１の領域１４においては背景色領域１１による黒色に見え、第２の領域１５においてはマーク部１２による白色に見え、第３の領域１６においては背景色領域１１の色とマーク部１２の色とが混ざり合った灰色に見えることから、図３（ｄ）に示すように、第１の領域１４による色と第２の領域１５による色と第３の領域１６による色との３階調の色の違いによって潜像が浮かび上がってくる。
【００３９】
ここで、図１に示した偽造防止シート１においては、背景色領域１１に複数のマーク部１２がマトリックス状に配置され、第１の領域１４及び第２の領域１５に形成されたエンボス１３は、複数のマーク部１２の配列方向と並行して行及び／または列を構成して形成されているので、平面部３に対して鋭角をなすどの方向から観察した場合であっても、第１の領域１４及び第２の領域１５においては、エンボス１３の頂部１３ａ以外の領域とエンボス１３間の領域とが、そのエンボス１３の観察方向側に隣接するエンボス１３によって隠れて見えなくなっていき、エンボス１３の頂部１３ａのみが見えるような状態となり、また、第３の領域１６においては、背景色領域１１とマーク部１２とが、第３の領域１６の観察方向側に隣接するエンボス１３によって隠れることがないため、偽造防止シート１に対する観察方向をどの方向に変化させていった場合であっても、上記同様の作用が生じる。
【００４０】
上述した偽造防止シート１は、複写した場合、シート基材２の情報印刷領域４に印刷された情報や、シート基材２に印刷により設けられた背景色領域１１及びマーク部１２は複写されるものの、エンボス１３までは再現できない。そのため、複写物の観察方向を変えていった場合であっても、上述したようなエンボス１３の作用による潜像は浮かび上がらず、それにより、真偽判別を行うことが可能となる。
【００４１】
なお、本形態におけるエンボス１３の高さや底部の寸法については、上述したものに限らず、適宜設定が可能である。
【００４２】
また、エンボス１３の形状においては、本形態にて示したドーム型のものの他に、円錐から頂点の部分が取り除かれた形状のもの、あるいは、円柱形のものや円錐形のものとすることも考えられる。また、断面が矩形状となるものとすることも考えられる。
【００４３】
また、第１の領域１４と第２の領域１５と第３の領域１６とが配置される相対位置は、本形態のように、第１の領域１４が第３の領域１６を取り囲み、第３の領域１６が第２の領域１５を取り囲むものには限定されない。ただし、第３の領域１６が第１の領域１４と第２の領域１５との境界部分に配置されていれば、第１の領域１４と第２の領域１５との境界に、第１の領域１４にて見える黒色と第２の領域１５にて見える白色とが混ざり合った灰色が見えることになり、第１の領域１４から第２の領域１５に渡って見える色が徐々に変化し、それにより、特に潜像を画像とした場合に、その輪郭になめらかさを出すことができる。
【００４４】
また、背景色領域１１の色とマーク部１２の色は、本形態においては、背景色領域１１を黒色とし、マーク部１２を白色としたが、背景色領域１１を白色とし、マーク部１２を黒色としてもよく、また、互いに異なる色であれば、白色や黒色に限らない。
【００４５】
また、本形態においては、偽造防止媒体として、紙からなるシート基材２に偽造防止構造１０が設けられた偽造防止シート１を例に挙げて説明したが、本発明はこのような偽造防止シート１に限らず、フィルムからなるシート基材や複数の樹脂層が積層されてなるカード基材に上述したような偽造防止構造１０を設けたものにも適用することが可能である。
【図面の簡単な説明】
【００４６】
【図１】本発明の偽造防止媒体の実施の一形態となる偽造防止シートを示す図であり、（ａ）は全体の構成を示す図、（ｂ）は（ａ）に示した偽造防止構造の詳細な構成を示す図、（ｃ）は（ｂ）に示した偽造防止構造を背景色領域とマーク部とエンボスとの関係によって３つの領域に分割した状態を示す図、（ｄ）は（ｂ）に示した偽造防止構造における背景色領域とマーク部との関係を示す図、（ｅ）は（ｂ）に示した偽造防止構造におけるエンボスの形成領域を示す図、（ｆ）は（ｃ）に示した第１の領域に形成されたエンボスの構成を示す図、（ｆ）は（ｃ）に示した第２の領域に形成されたエンボスの構成を示す図である。
【図２】図１に示した偽造防止シートを正面から観察した場合の作用を説明するための図であり、（ａ）は第１の領域について断面方向から見た図、（ｂ）は第２の領域について断面方向から見た図、（ｃ）は偽造防止構造における背景色領域とマーク部の見え方を示す図である。
【図３】図１に示した偽造防止シートに対する観察方向を正面から変化させていった場合の作用を説明するための図であり、（ａ）は第１の領域について側面方向から見た図、（ｂ）は第２の領域について側面方向から見た図、（ｃ）は第３の領域について側面方向から見た図、（ｄ）は偽造防止構造全体の見え方を示す図である。
【符号の説明】
【００４７】
１    偽造防止シート
２    シート基材
３    平面部
４    情報印刷領域
１０    偽造防止構造
１１    背景色領域
１２    マーク部
１３    エンボス
１３ａ    頂部
１４    第１の領域
１５    第２の領域
１６    第３の領域
【図１】
2010115800.tif 000003
【図２】
2010115800.tif 000004
【図３】
2010115800.tif 000005